(57)【要約】【課題】構造が簡単で組立及び分解が容易であり、収納時の使い勝手も良い組立式収納家具を提供する。【解決手段】組立式収納家具１０は天板１１と、側板１２ａ，１２ｂと、方立１３と、横部材１４とを有する。天板の下面には幅方向に沿って両縁に所定ピッチでダボ穴（１９）が設けられ、側板の各内面には高さ方向に沿って両縁に所定ピッチでダボ穴２０が設けられ、方立の両側面には各々高さ方向に沿って両縁に側板のダボ穴と同一ピッチで且つこれに対応した高さ方向位置にダボ穴２２が設けられ、横部材の前面には幅方向に沿って天板のダボ穴と同一ピッチで且つこれに対応した幅方向位置にダボ穴２８が設けられる。左右側板はクローゼットの左右側壁に固定され、天板は左右側板の上端に載置固定され、横部材はクローゼットの背面壁と床面との隅部に沿って固定され、方立は天板及び横部材に着脱自在に固定される。【選択図】図１
2007117232.tif 000002
【特許請求の範囲】
【請求項１】
少なくとも、天板と、左右一対の側板と、これら側板間の任意位置に立設される方立と、横部材とから構成され、天板の下面には幅方向に沿って両縁に所定ピッチでダボ穴が設けられ、左右側板の各内面には高さ方向に沿って両縁に所定ピッチでダボ穴が設けられ、方立の両側面には各々高さ方向に沿って両縁に左右側板のダボ穴ピッチと同一ピッチで且つこれに対応した高さ方向位置にダボ穴が設けられ、横部材の前面には幅方向に沿って天板のダボ穴ピッチと同一ピッチで且つこれに対応した幅方向位置にダボ穴が設けられ、左右側板は共通部材として作成したものを左右逆向きにして使用してクローゼットの左右側壁に固定され、天板は該固定された左右側板の上端に載置固定され、横部材は該固定された左右側板間において該クローゼットの背面壁と床面との隅部に沿って固定され、方立はその上端で天板に着脱自在に固定されると共にその下端で横部材に着脱自在に固定されることを特徴とする組立式収納家具。
【請求項２】
方立の下端奥方に切欠が形成され、この切欠に横部材が収容されることを特徴とする、請求項１記載の組立式収納家具。
【請求項３】
方立の切欠に隣接して連結金具装着穴が形成され、この連結金具装着穴に装着した第１の連結金具と、対応する位置にある横部材のダボ穴に装着した第２の連結金具とを連結することにより方立と横部材とが着脱自在に連結されることを特徴とする、請求項１または２記載の組立式収納家具。
【請求項４】
方立の上端に連結金具装着穴が形成され、この連結金具装着穴に装着した第１の連結金具と、対応する位置にある天板のダボ穴に装着した第２の連結金具とを連結することにより方立と天板とが着脱自在に連結されることを特徴とする、請求項１ないし３のいずれか記載の組立式収納家具。
【請求項５】
方立と一方の側板との間に固定棚が着脱自在の固定手段を介して固定されることを特徴とする、請求項１ないし４のいずれか記載の組立式収納家具。
【請求項６】
方立の前木口下端部分に滑り止め部材が設けられることを特徴とする、請求項１ないし５のいずれか記載の組立式収納家具。
【発明の詳細な説明】
【技術分野】
【０００１】
本発明は、家屋のクローゼット内に設置する組立式収納家具に関する。
【背景技術】
【０００２】
従来技術による組立式収納家具として、下記特許文献１に開示されるものがある。
【特許文献１】特開昭４９−５８９６０号公報
【発明の開示】
【発明が解決しようとする課題】
【０００３】
この特許文献１の組立式収納家具は、上側と下側の４箇所に垂直部材を固定するための特殊形材を設ける必要があり、部材数が多くなり、組立が煩雑になる。また、下側の特殊形材は、物品を収納する際に衝突しやすく、収納物品を変形・破損させるおそれがあった。
【０００４】
したがって、本発明が解決しようとする課題は、構造が簡単で組立及び分解が容易であり、しかも収納時の使い勝手が良い新規な構成の組立式収納家具を提供することにある。
【課題を解決するための手段】
【０００５】
上記の課題を達成するため、請求項１に係る本発明は、少なくとも、天板と、左右一対の側板と、これら側板間の任意位置に立設される方立と、横部材とから構成され、天板の下面には幅方向に沿って両縁に所定ピッチでダボ穴が設けられ、左右側板の各内面には高さ方向に沿って両縁に所定ピッチでダボ穴が設けられ、方立の両側面には各々高さ方向に沿って両縁に左右側板のダボ穴ピッチと同一ピッチで且つこれに対応した高さ方向位置にダボ穴が設けられ、横部材の前面には幅方向に沿って天板のダボ穴ピッチと同一ピッチで且つこれに対応した幅方向位置にダボ穴が設けられ、左右側板は共通部材として作成したものを左右逆向きにして使用してクローゼットの左右側壁に固定され、天板は該固定された左右側板の上端に載置固定され、横部材は該固定された左右側板間において該クローゼットの背面壁と床面との隅部に沿って固定され、方立はその上端で天板に着脱自在に固定されると共にその下端で横部材に着脱自在に固定されることを特徴とする組立式収納家具である。
【０００６】
請求項２に係る本発明は、請求項１記載の組立式収納家具において、方立の下端奥方に切欠が形成され、この切欠に横部材が収容されることを特徴とする。
【０００７】
請求項３に係る本発明は、請求項１または２記載の組立式収納家具において、方立の切欠に隣接して連結金具装着穴が形成され、この連結金具装着穴に装着した第１の連結金具と、対応する位置にある横部材のダボ穴に装着した第２の連結金具とを連結することにより方立と横部材とが着脱自在に連結されることを特徴とする。
【０００８】
請求項４に係る本発明は、請求項１ないし３のいずれか記載の組立式収納家具において、方立の上端に連結金具装着穴が形成され、この連結金具装着穴に装着した第１の連結金具と、対応する位置にある天板のダボ穴に装着した第２の連結金具とを連結することにより方立と天板とが着脱自在に連結されることを特徴とする。
【０００９】
請求項５に係る本発明は、請求項１ないし４のいずれか記載の組立式収納家具において、方立と一方の側板との間に固定棚が着脱自在の固定手段を介して固定されることを特徴とする。
【００１０】
請求項６に係る本発明は、請求項１ないし５のいずれか記載の組立式収納家具において、方立の前木口下端部分に滑り止め部材が設けられることを特徴とする。
【発明の効果】
【００１１】
天板と横部材には、互いに対応するように所定ピッチでダボ穴が形成されているので、天板及び横部材のダボ穴を任意に選択することにより、側板から方立までの距離を任意に設定することができる。このような任意の位置で方立を天板及び横部材に対して着脱自在に連結・固定することができるので、組立及び分解が容易である。また、方立の位置はダボ穴の１ピッチ分ずつ調整可能であるため、収納区画を必要に応じて自在に設定することができ、且つ、変更も容易である。さらに、この組立式収納家具には下部手前側に余分な部材が存在しないので、物品の収納時の使い勝手に優れている。
【００１２】
固定棚板を方立と一方の側板との間に着脱自在の固定手段を用いて固定した場合には、上述した組立式収納家具の組立及び分解並びに方立の位置変更を容易に行うことができる利点を損なうことなく、方立の固定をより一層強固なものとすることができる。
【００１３】
さらに、方立の前端部分に滑り止め部材を嵌着することにより、方立の位置を安定させることができる。
【発明を実施するための最良の形態】
【００１４】
図１は、本発明の一実施形態による組立式収納家具１０を示す。この組立式収納家具１０は、天板１１、左右一対の側板１２ａ，１２ｂ、方立１３及び横部材１４を有して前面及び底面開放の箱形形状として形成されている。この組立式収納家具１０において、方立１３と右側（図において。以下同じ。）の側板１２ａとの間には固定棚板１５及び複数枚の可動棚板１６ａ，１６ｂ，１６ｃが設けられて棚収納部を構成しており、方立１３と左側の側板１２ｂとの間には上部にハンガーパイプ１７が設けられてハンガー収納部を構成している。方立１３の前木口側の下端部分には滑り止め部材１８が貼着されると共に、その前木口及びその近辺の両側面領域は略全長に亘って合成樹脂やアルミニウム合金などで形成された略Ｕ字形断面形状の保護キャップ３１で覆われている。この組立式収納家具１０の高さＨ０は、設置すべきクローゼット内部の高さ範囲内で任意の寸法とすることができる。組立式収納家具１０の幅Ｗ１は、クローゼット内部の左右壁間隔に略一致する寸法を有する。
【００１５】
図１と共に図２を参照して、天板１１の下面には、幅方向Ｘに延長する両縁に沿って所定ピッチＰ１で且つ同じ幅方向位置において複数のダボ穴１９が列設されている。この天板１１は、図６に示すように、Ｗ１より大きな幅寸法を有する天板素材１１’に、その幅方向Ｘに延長する両縁に沿って所定ピッチＰ１でダボ穴１９を形成した後、その一端側（組立状態において右端側）１１１からの幅寸法がＷ１となる位置１１３で左端部分を切断して得ることができる。この切断作業は施工現場で行うことができる。
【００１６】
図１と共に図３を参照して、側板１２ａ，１２ｂはいずれも高さ（長さ）が組立式収納家具１０の高さＨ０より天板１１の厚み寸法相当分だけ短い寸法Ｈ１とされ、また、その一方の側面（組立状態において内面）には、高さ方向Ｙに延長する前端１２１及び後端１２２に沿って所定ピッチＰ２で且つ同じ高さ方向位置において複数のダボ穴２０が列設されている。また、側板１２ａ，１２ｂの奥行き方向Ｚ中間には、ハンガー用フック金具（図示せず）を係止するための上下一対のダボ穴２１（間隔Ｐ３）が適宜間隔で複数対（図示実施形態では５対）設けられる。側板１２ａ，１２ｂは高さ方向Ｙに対称の構成を有するので、同一構成のものを２枚工場生産し、反対向きにして側板１２ａ及び１２ｂとして用いることができる。
【００１７】
図１と共に図４を参照して、方立１３は、側板１２ａ，１２ｂと同じく、高さ（長さ）が組立式収納家具１０の高さＨ０より天板１１の厚み寸法相当分だけ短い寸法Ｈ１とされている。また、その両側面に、側板１２ａ，１２ｂと同様に、高さ方向Ｙに延長する前端１３１及び後端１３２に沿って所定ピッチＰ４（Ｐ４＝Ｐ２）で且つ同じ高さ方向位置において複数のダボ穴２２が列設されると共に、その奥行き方向Ｚ中間には、ハンガー用フック金具（図示せず）を係止するための上下一対のダボ穴２３が所定間隔Ｐ５（Ｐ５＝Ｐ３）で複数対（図示実施形態では５対）設けられている。さらに、方立１３の前端１３１の両側面領域には保護キャップ３１を嵌着するための段部２４が設けられ、この段部２４に保護キャップ３１を嵌着したときに保護キャップ３１の側面が方立１３の側面と略面一となるようにしている。また、方立１３の下端１３４の後端１３２側には切欠２５が形成され、この切欠２５に隣接する箇所並びに上端１３３の前端１３１及び後端１３２に近い２箇所にはそれぞれ雌連結金具２６（後述）を装着するための装着穴２７ａ〜２７ｃが形成される。方立１３は、このような形状及び構成を有するものとして予め工場で生産したものを用いることができる。
【００１８】
図１と共に図５を参照して、横部材１４は幅寸法（長さ）が組立式収納家具１０の幅Ｗ１から側板１２ａ，１２ｂの板厚合計を差し引いた寸法に相当する寸法である幅Ｌ１を有する。横部材１４の一方の側面（組立状態において前面）には、幅方向Ｘに所定ピッチＰ６（Ｐ６＝Ｐ１）で複数のダボ穴２８が列設されている。横部材１４のダボ穴２８は、天板１１のダボ穴１９と幅方向において同じ位置に形成されている。この横部材１４は、図７に示すように、Ｌ１より大きな幅寸法を有する横部材素材１４’に、その幅方向Ｘに沿って所定ピッチＰ４でダボ穴２８を形成した後、その一端側（組立状態において右端側）１４１からの幅寸法がＬ１となる位置１４３で左端部分を切断して得ることができる。この切断作業は施工現場で行うことができる。なお、固定棚板１５及び可動棚板１６ａ〜１６ｃを設ける棚収納部を組立式収納家具１０の左側とする場合には、ダボ穴２８を形成した横部材素材１４’を、その組立状態において左端側１４２からの幅寸法がＬ１となる位置で右端部分を切断する。
【００１９】
横部材１４は、方立１３の下端１３４の後端１３２側に形成された切欠２５を挿通するように配置され、雌連結金具２６と雄連結金具２９とにより方立１３に着脱可能に連結・固定される。より詳しくは、図８及び図９に示すように、雌連結金具２６を方立１３の切欠２５に隣接する装着穴２７ａに装着すると共に、雄連結金具２９をこれと対応する位置にある横部材１４のダボ穴２８に固定し、雄連結金具２９を雌連結金具２６に挿入した状態で、雌連結金具２６の中心に設けられている十字溝（図示せず）にドライバ３０先端を挿入して所定方向に回して、雌連結金具２６を雄連結金具２９に係止することにより、方立１３と横部材１４とを連結して組み立てることができる。組立状態から分解するには、ドライバ３０で雌連結金具２６を反対方向に回して方立１３を横部材１４から分離する。このような雄連結金具２６／雌連結金具２９としては、たとえば実公昭５９−３２３４３号公報に開示されている締付円盤７１／ビス７２、特開平８−１４４４９６号公報に開示されている雄具Ｆａ／雌具Ｆｂなどを使用することができる。なお、図示しないが、方立１３は天板１１に対しても同様にして着脱可能に連結・固定される。
【００２０】
この組立式収納家具１０の組立方法を説明すると、まず、この組立式収納家具１０の高さＨ０を決定する。この高さＨ０は、この組立式収納家具１０の高さを設置すべきクローゼットの高さに略一致する寸法でも良いし、該クローゼットの高さより短い寸法として該クローゼット内の天井と組立式収納家具１０の天板１１との間に空間が形成されるようにしても良い。
【００２１】
決定された高さＨ０に対応させた高さＨ１を有する左右側板１２ａ，１２ｂ及び方立１３を準備し、まず左右側板１２ａ，１２ｂをクローゼット内の左右側壁にビスなどで固定する。
【００２２】
次に、クローゼット内の左右側壁間の距離（クローゼット幅）に一致するように天板素材１１’を左側端１１２寄りの位置１１３で切断して（図６）幅Ｗ１の天板１１とした上で、その両端を左右側板１２ａ，１２ｂの上に載せてＬ形金具（図示せず）などで固定する。
【００２３】
また、横部材１４についても、左右側板１２ａ，１２ｂ間の距離に一致するように横部材１４’を左側端１４２寄りの位置１４３で切断して（図７）幅Ｌ１の横部材１４とした上で、クローゼット内の背面壁と床面との隅部にビス（図示せず）などで固定する。
【００２４】
次に、方立１３を、天板１１及び横部材１４の予め選定したダボ穴１９，２８に対して前述の雌連結金具２６／雄連結金具２９のような着脱自在の連結金具により、天板１１及び横部材１４と連結・固定する。方立１３の前木口下端部には予め滑り止め部材１８を貼着しておく。
【００２５】
方立１３を固定した後、方立１３と右側板１２ａとの間に、それらの内面に設けられたダボ穴２０，２２を利用して固定棚板１５を着脱自在の固定金具で固定すると共に、可動棚板１６ａ〜１６ｃをピン金具で係止して、棚収納部を構成する。
【００２６】
また、方立１３と左側板１２ｂとの間に、それらの内面に設けられたダボ穴２１，２３を利用してハンガーパイプ１７を任意金具で取り付けて、ハンガー収納部を構成する。ハンガーパイプ１７は予め長尺に形成しておき、施工現場で方立１３と左側板１２ｂとの間の距離に合わせて切断する。
【００２７】
さらに、方立１３の前木口部分に保護キャップ３１を嵌着する（方立１３に予め保護キャップ３１を嵌着しておいても良い）。
【００２８】
以上により、右側が棚収納部、左側がハンガー収納部とされた組立式収納家具１０が完成する。
【図面の簡単な説明】
【００２９】
【図１】本発明の一実施形態による組立式収納家具の斜視図である。
【図２】この組立式収納家具に用いられる天板の一面（組立状態における下面）を示す図である。
【図３】この組立式収納家具に用いられる側板の一面（組立状態における内面）を示す図である。
【図４】この組立式収納家具に用いられる方立の一面（組立状態におけるｃ側面）を示す図である。
【図５】この組立式収納家具に用いられる横部材の一面（組立状態における前面）を示す図である。
【図６】図２の天板を形成するための天板素材の一面（組立状態における下面）を示す図である。
【図７】図５の横部材を形成するための横部材素材の一面（組立状態における前面）を示す図である。
【図８】この組立式収納家具において方立と横部材とが連結される前の状態を示す部分斜視図である。
【図９】この組立式収納家具において方立と横部材とを連結した状態を示す部分斜視図である。
【符号の説明】
【００３０】
１０  組立式収納家具
１１  天板
１２ａ，１２ｂ  側板
１３  方立
１４  横部材
１８  滑り止め部材
１９  天板のダボ穴
２０  側板のダボ穴
２２  方立のダボ穴
２６  雌連結金具
２８  横部材のダボ穴
２９  雄連結金具
３１  保護キャップ
Ｘ  組立式収納家具の幅方向
Ｙ  組立式収納家具の高さ方向
Ｚ  組立式収納家具の奥行き方向
Ｐ１  天板のダボ穴ピッチ
Ｐ２  側板のダボ穴ピッチ
Ｐ４（＝Ｐ２）  方立のダボ穴ピッチ
Ｐ６（＝Ｐ１）  横部材のダボ穴ピッチ
【図１】
2007117232.tif 000003
【図２】
2007117232.tif 000004
【図３】
2007117232.tif 000005
【図４】
2007117232.tif 000006
【図５】
2007117232.tif 000007
【図６】
2007117232.tif 000008
【図７】
2007117232.tif 000009
【図８】
2007117232.tif 000010
【図９】
2007117232.tif 000011